(57)【要約】【課題】  履歴を記録する記録装置を選択して、選択された記録装置の履歴を記録し、記録された履歴の中から所望の記録項目の履歴を抽出して通知することができるようにする。【解決手段】  記録装置の装置名を設定して、履歴を記録する記録装置を選択し、選択された記録装置の履歴を記録する記録項目を選択して、選択された記録装置が動作したとき、選択された記録項目の履歴を記録し、記録された記録項目の中から通知する記録項目を選択して、設定された装置名を付加して、選択された記録項目の履歴を通知するようにする。【選択図】        図６
2006031762.tif 000002
【特許請求の範囲】
【請求項１】
映像データを記録する記録装置が複数組み込まれた複合記録装置であって、
記録装置の装置名を設定する設定手段と、履歴を記録する記録装置を選択する第１の選択手段と、前記第１の選択手段により選択された記録装置の履歴を記録する記録項目を選択する第２の選択手段と、前記第２の選択手段により選択された記録項目の履歴を記録する記録手段と、前記記録手段により記録された記録項目の中から通知する記録項目を選択する第３の選択手段と、前記第３の選択手段により選択された記録項目の履歴を通知する通知手段と、前記第２の選択手段により選択された記録項目の履歴を所定のファイル形式で記録してファイルを更新するファイル更新手段と、前記ファイル更新手段により更新されたファイルを転送するファイル転送手段とを備え、
前記通知手段は、前記第１の選択手段により選択された記録装置毎に、前記設定手段により設定された装置名を付加して、前記第３の選択手段により選択された記録項目の履歴を印字して通知し、
前記ファイル更新手段は、前記第１の選択手段により選択された記録装置毎に、前記設定手段により設定された装置名を付加して、前記第２の選択手段により選択された記録項目の履歴を所定のファイル形式で記録してファイルを更新するようにしたことを特徴とする複合記録装置。
【請求項２】
映像データを記録する記録装置が複数組み込まれた複合記録装置であって、
記録装置の装置名を設定する設定手段と、履歴を記録する記録装置を選択する第１の選択手段と、前記第１の選択手段により選択された記録装置の履歴を記録する記録項目を選択する第２の選択手段と、前記第２の選択手段により選択された記録項目の履歴を記録する記録手段と、前記記録手段により記録された記録項目の中から通知する記録項目を選択する第３の選択手段と、前記第３の選択手段により選択された記録項目の履歴を通知する通知手段とを備えたことを特徴とする複合記録装置。
【請求項３】
前記通知手段は、前記第１の選択手段により選択された記録装置毎に、前記設定手段により設定された装置名を付加して、前記第３の選択手段により選択された記録項目の履歴を通知するようにしたことを特徴とする請求項２記載の複合記録装置。
【請求項４】
前記通知手段は、前記設定手段により設定された装置名を付加して、前記第３の選択手段により選択された記録項目の履歴を印字して通知するようにしたことを特徴とする請求項２記載の複合記録装置。
【請求項５】
前記第２の選択手段により選択された記録項目の履歴を所定のファイル形式で記録してファイルを更新するファイル更新手段と、前記ファイル更新手段により更新されたファイルを転送するファイル転送手段とを更に備えたことを特徴とする請求項２記載の複合記録装置。
【請求項６】
前記ファイル更新手段は、前記第１の選択手段により選択された記録装置毎に、前記設定手段により設定された装置名を付加して、前記第２の選択手段により選択された記録項目の履歴を所定のファイル形式で記録してファイルを更新するようにしたことを特徴とする請求項５記載の記録装置。
【発明の詳細な説明】
【技術分野】
【０００１】
本発明は、ＶＣＲ（Ｖｉｄｅｏ  Ｃａｓｓｅｔｔｅ  Ｒｅｃｏｒｄｅｒ）装置、ＤＶＤ（Ｄｉｇｉｔａｌ  Ｖｅｒｓａｔｉｌｅ  Ｄｉｓｃ）装置、ＨＤＤ（Ｈａｒｄ  Ｄｉｓｋ  Ｄｒｉｖｅ）装置等の記録装置が複数組み込まれた複合記録装置に係り、特に記録された記録装置の履歴の中から所望の履歴を抽出して通知することができる複合記録装置に関する。
【背景技術】
【０００２】
近年、記録媒体の記録容量の大容量化に伴って、多量の映像データを記録媒体に記録することができるようになり、多量の映像データの詳細な履歴を記録して保存することができるようになってきた。そのため、映像データの履歴の通知を要求したとき、多量の映像データの履歴が記録されたまま通知され、ユーザが所望しない記録項目の履歴まで通知されるため、映像データの履歴内容を把握し難いという問題点があった。また、複合記録装置に組み込まれた複数の記録装置の装置名が単にＤＶＤ等と表示されるため、通知された履歴がいずれの記録装置の履歴であるかがわかり難いという問題点があった。
背景技術としては、入力された画像情報を子画面として表示し、選択された子画面を親画面として表示する際に、外部入力端子に接続された機器の機器名を画面に表示するようにしたものがあった（例えば、特許文献１参照）。
また、複数の電子機器をバスに接続し、それらの電子機器の機器名を設定して、設定された機器名をバスを介して他の電子機器へ送信するようにしたものがあった（例えば、特許文献２参照）。
また、外部機器から出力される動作状況を動作履歴として登録し、登録された動作履歴に基づいて外部機器の標準化動作を策定し、その時点における外部機器の動作状況と策定された標準化動作とが異なる場合に、外部機器に該当する動作状況へ移行させるようにしたものがあった（例えば、特許文献３参照）。
【特許文献１】特開平１１−２６１９１８号公報
【特許文献２】特開平７−２１２６６２号公報
【特許文献３】特開２００１−３１８７１７号公報
【発明の開示】
【発明が解決しようとする課題】
【０００３】
しかしながら、背景技術で述べたもののうち最初のものにおいては、入力された画像情報を子画面として表示し、選択された子画面を親画面として表示する際に、外部入力端子に接続された機器の機器名を画面に表示するすることができたが、履歴を記録する記録装置を選択して、選択された記録装置の履歴を記録し、記録された履歴の中から所望の記録項目の履歴を抽出して通知するようにしたものではなかった。
また、次のものにおいては、複数の電子機器をバスに接続し、それらの電子機器の機器名を設定して、設定された機器名をバスを介して他の電子機器へ送信するすることができたが、上記同様、履歴を記録する記録装置を選択して、選択された記録装置の履歴を記録し、記録された履歴の中から所望の記録項目の履歴を抽出して通知するようにしたものではなかった。
また、更にその次のものにおいては、外部機器から出力される動作状況を動作履歴として登録し、登録された動作履歴に基づいて外部機器の標準化動作を策定し、その時点における外部機器の動作状況と策定された標準化動作とが異なる場合に、外部機器に該当する動作状況へ移行させることができたが、上記同様、履歴を記録する記録装置を選択して、選択された記録装置の履歴を記録し、記録された履歴の中から所望の記録項目の履歴を抽出して通知するようにしたものではなかった。
本発明は、背景技術の有するこのような問題点に鑑みてなされたものであり、その目的とするところは、履歴を記録する記録装置を選択して、選択された記録装置の履歴を記録し、記録された履歴の中から所望の記録項目の履歴を抽出して通知することができる複合記録装置を提供しようとするものである。
【課題を解決するための手段】
【０００４】
上記目的を達成するため本発明においては、映像データを記録する記録装置が複数組み込まれた複合記録装置であって、記録装置の装置名を設定する設定手段と、履歴を記録する記録装置を選択する第１の選択手段と、前記第１の選択手段により選択された記録装置の履歴を記録する記録項目を選択する第２の選択手段と、前記第２の選択手段により選択された記録項目の履歴を記録する記録手段と、前記記録手段により記録された記録項目の中から通知する記録項目を選択する第３の選択手段と、前記第３の選択手段により選択された記録項目の履歴を通知する通知手段とを備える。
前記通知手段は、前記第１の選択手段により選択された記録装置毎に、前記設定手段により設定された装置名を付加して、前記第３の選択手段により選択された記録項目の履歴を通知するようにするとよい。
また、前記通知手段は、前記設定手段により設定された装置名を付加して、前記第３の選択手段により選択された記録項目の履歴を印字して通知するようにするとよい。
更に、前記第２の選択手段により選択された記録項目の履歴を所定のファイル形式で記録してファイルを更新するファイル更新手段と、前記ファイル更新手段により更新されたファイルを転送するファイル転送手段とを備える。
前記ファイル更新手段は、前記第１の選択手段により選択された記録装置毎に、前記設定手段により設定された装置名を付加して、前記第２の選択手段により選択された記録項目の履歴を所定のファイル形式で記録してファイルを更新するようにするとよい。
これらの手段により、履歴を記録する記録装置を選択して、選択された記録装置の履歴を記録し、記録された履歴の中から所望の記録項目の履歴を抽出して通知することができる。
【発明の効果】
【０００５】
請求項１記載の発明に係る複合記録装置によれば、記録装置の装置名を設定して、履歴を記録する記録装置を選択し、選択された記録装置の履歴を記録する記録項目を選択して、選択された記録項目の履歴を記録し、記録された記録項目の中から通知する記録項目を選択し、設定された装置名を付加して、選択された記録項目の履歴を通知するようにしているので、所望の記録装置の履歴を記録することができ、記録された履歴の中から所望の記録項目の履歴を抽出して、記録装置が容易にわかるようにして通知することができる。また、選択された記録項目の履歴を所定のファイル形式で記録してファイルを更新し、設定された装置名を付加して、更新されたファイルを転送するようにしているので、転送されたファイルを利用することができるソフトウェアにより高度な履歴を装置名別にわかりやすく管理することができる。
請求項２記載の発明に係る複合記録装置によれば、記録装置の装置名を設定して、履歴を記録する記録装置を選択し、選択された記録装置の履歴を記録する記録項目を選択して、選択された記録装置が動作したとき、選択された記録項目の履歴を記録し、記録された記録項目の中から通知する記録項目を選択して、設定された装置名を付加して、選択された記録項目の履歴を通知するようにしているので、所望の記録装置の履歴を記録することができ、記録された履歴の中から所望の記録項目の履歴を抽出して通知することができ、通知された装置名によりその履歴の記録装置を容易に知ることができる。
請求項３記載の発明に係る複合記録装置によれば、選択された記録装置毎に、設定された装置名を付加して、選択された記録項目の履歴を通知するようにしているので、設定された装置名により記録装置を容易に知ることができる。
請求項４記載の発明に係る複合記録装置によれば、設定された装置名を付加して、選択された記録項目の履歴を印字して通知するようにしているので、ユーザが所望する記録装置の履歴を装置名別にわかりやすくファイリングすることができる。
請求項５記載の発明に係る複合記録装置によれば、選択された記録項目の履歴を所定のファイル形式で記録してファイルを更新し、更新されたファイルを転送するようにしているので、転送されたファイルを利用することができるソフトウェアにより高度な履歴の管理を行うことができる。
請求項６記載の発明に係る複合記録装置によれば、選択された記録装置毎に、設定された装置名を付加して、選択された記録項目の履歴を所定のファイル形式で記録してファイルを更新するようにしているので、転送されたファイルを利用することができるソフトウェアにより高度な履歴を装置名別にわかり易く管理することができる。
【発明を実施するための最良の形態】
【０００６】
以下、適宜図面を参照しながら本発明を実施するための最良の形態を詳述する。図１は本発明の一実施例の複合記録装置の構成を示すブロック図であり、図２は本発明の一実施例の複合記録装置の履歴の印字例を示す図であり、図３は本発明の一実施例の複合記録装置の履歴記録設定の動作を示すフローチャートであり、図４は本発明の一実施例の複合記録装置の装置名設定の動作を示すフローチャートであり、図５は本発明の一実施例の複合記録装置の履歴記録の動作を示すフローチャートであり、図６は本発明の一実施例の複合記録装置の履歴通知の動作を示すフローチャートである。
まず、図１の本発明の一実施例の複合記録装置の構成を示すブロック図を基に説明する。
複合記録装置１は、映像データをビデオカセットテープに記録再生するＶＣＲ（Ｖｉｄｅｏ  Ｃａｓｓｅｔｔｅ  Ｒｅｃｏｒｄｅｒ）部２、３と、映像データをＤＶＤ（Ｄｉｇｉｔａｌ  Ｖｅｒｓａｔｉｌｅ  Ｄｉｓｋ）等の光ディスクに記録再生するＤＶＤ部４、５と、映像データをハードディスクに記録再生するＨＤＤ（Ｈａｒｄ  Ｄｉｓｋ  Ｄｒｉｖｅ）部６と、ＶＣＲ部２、ＶＣＲ部３、ＤＶＤ部４、ＤＶＤ部５、ＨＤＤ部６の記録再生を制御するストレージ制御部７と、映像データの信号を処理する信号処理回路８と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路９と、複合記録装置１のシステム全体を制御するマイコン１０と、外部端子Ｔ１に接続されたコンピュータ、プリンタ、映像音響機器等の外部装置とのデータの送受信を行うインタフェース回路１１と、各種データを記憶するメモリ１２と、リモコン装置２０から送信された赤外線信号のリモコン信号を受信して、所定の電気信号に変換するリモコン受信部１３とで構成されている。
以上のように構成された複合記録装置について、以下その動作について説明する。
リモコン装置２０のキー操作によりメニュ画面（図示せず）の記録装置の履歴記録の設定が選択されると、マイコン１０は、モニタ装置３０の画面に記録装置の履歴記録の設定画面（図示せず）を表示して、記録装置の履歴を記録する記録装置の選択処理を実行する。ユーザの指示により履歴を記録する記録装置として複合記録装置１のＶＣＲ部２、ＶＣＲ部３、ＤＶＤ部４、ＤＶＤ部５、又はＨＤＤ部６のいずれかが選択されると、マイコン１０は、選択された複合記録装置１のＶＣＲ部２、ＶＣＲ部３、ＤＶＤ部４、ＤＶＤ部５又はＨＤＤ部６の履歴を記録するために、その選択をメモリ１２に記憶する。
また、マイコン１０は、モニタ装置３０の画面に映像データのダビング時にその履歴を記録するダビングパターンの選択画面（図示せず）をＶＣＲ部２、ＶＣＲ部３、ＤＶＤ部４、ＤＶＤ部５、ＨＤＤ部６毎に表示して、記録装置のダビングパターンの選択処理を実行し、ユーザの指示により選択されたそれぞれのダビングパターン、例えば、日付、時刻、ＶＣＲやＤＶＤ等の記録装置、ＤＶＤ−ＲＷやＤＶＤ−Ｒ等の記録媒体、ＸＰモードやＳＰモード等の画質モード、ＶＲやＳ−ＶＨＳ等の記録方式、外部端子入力や記録媒体等のソース等をメモリ１２に記憶する。
また、マイコン１０は、モニタ装置３０の画面に記録装置の履歴を記録する記録項目と記録された記録項目の中から履歴を通知する記録項目との選択画面（図示せず）をＶＣＲ部２、ＶＣＲ部３、ＤＶＤ部４、ＤＶＤ部５、ＨＤＤ部６毎に表示して、履歴を記録する記録項目と履歴を通知する記録項目との選択処理を実行し、ユーザの指示により選択されたＶＣＲ部２、ＶＣＲ部３、ＤＶＤ部４、ＤＶＤ部５、ＨＤＤ部６のそれぞれの履歴を記録する記録項目と履歴を通知する記録項目とをメモリ１２に記憶する。
複合記録装置１のＶＣＲ部２、ＶＣＲ部３、ＤＶＤ部４、ＤＶＤ部５、又はＨＤＤ部６のいずれかの記録装置によりダビング等の映像データの記録が実行されると、マイコン１０は、その映像データの記録が実行された記録装置の履歴の記録が設定されているか否かを判別して、その記録装置の履歴の記録が設定されている場合、映像データの記録が実行された記録装置の記録項目の履歴をＨＤＤ部６のハードディスクに記録する。
リモコン装置２０のキー操作により履歴の通知が要求されると、マイコン１０は、印字による履歴の通知が設定されているか否かを判別して、印字による履歴の通知が設定されている場合、ＨＤＤ部６のハードディスクに記録されている複合記録装置１のＶＣＲ部２、ＶＣＲ部３、ＤＶＤ部４、ＤＶＤ部５、ＨＤＤ部６の記録項目の中から履歴の通知が選択された記録項目の履歴を抽出して、記録装置毎に、抽出された記録装置の履歴にその装置名を付けて印字する（図２参照）。印字不可ができなかった場合は、印字エラーの詳細、例えば、インクなし、用紙なし等がモニタ装置３０の画面に表示されて通知されるようになっている。
また、複合記録装置１の履歴のファイル保存が設定されている場合、マイコン１０は、ＨＤＤ部６のハードディスクに記録されている複合記録装置１のＶＣＲ部２、ＶＣＲ部３、ＤＶＤ部４、ＤＶＤ部５、ＨＤＤ部６の記録項目の履歴を所定のファイル形式で記録してファイルを更新し、ファイルの更新をモニタ装置３０の画面に表示して通知する。履歴のファイル保存ができなかった場合は、ファイル保存エラーの詳細、例えば、ハードディスクの記録領域の空き容量不足等がモニタ装置３０の画面に表示されて通知されるようになっている。
また、複合記録装置１の履歴のファイル転送が設定されている場合、マイコン１０は、ＨＤＤ部６のハードディスクに記録されている所定形式のファイルをインタフェース回路１１を介して外部端子Ｔ１に接続された外部装置に転送して、ファイル転送情報をＨＤＤ部６のハードディスクに記録する。ファイル転送に失敗した場合は、ファイル転送エラーがモニタ装置３０の画面に表示されて通知され、ファイル転送エラー情報がＨＤＤ部６のハードディスクに記録されるようになっている。
また、図３の本発明の一実施例の複合記録装置の履歴記録設定の動作を示すフローチャートを基に説明する。
リモコン装置のキー操作によりメニュ画面の複合記録装置の履歴記録の設定が選択されると、ステップＳ１からステップＳ２に進み、ステップＳ２で、履歴を記録する複合記録装置の選択処理が実行されて、ステップＳ３に進む。
ステップＳ３で、記録側がＶＣＲであるか否かが判断され、記録側がＶＣＲである場合、ステップＳ４に進み、記録側がＶＣＲでない場合、ステップＳ５に進む。
ステップＳ４で、ＶＣＲ用ダビングパターンがモニタ装置の画面に表示され、ユーザの指示によりＶＣＲ用ダビングパターンの選択処理が実行されて、ステップＳ５に進む。
ステップＳ５で、記録側がＤＶＤであるか否かが判断され、記録側がＤＶＤである場合、ステップＳ６に進み、記録側がＤＶＤでない場合、ステップＳ７に進む。
ステップＳ６で、ＤＶＤ用ダビングパターンがモニタ装置の画面に表示され、ユーザの指示によりＤＶＤ用ダビングパターンの選択処理が実行されて、ステップＳ７に進む。
ステップＳ７で、記録側がＨＤＤ部であるか否かが判断され、記録側がＨＤＤ部である場合、ステップＳ８に進み、記録側がＨＤＤ部でない場合、ステップＳ９に進む。
ステップＳ８で、ＨＤＤ用ダビングパターンがモニタ装置の画面に表示され、ユーザの指示によりＨＤＤ用ダビングパターンの選択処理が実行されて、ステップＳ９に進む。
ステップＳ９で、ユーザの指示により履歴を記録する記録項目等の選択処理と履歴を通知する記録項目等の選択処理とが実行されて、ステップＳ１０に進んで処理を終了する。
また、図４の本発明の一実施例の複合記録装置の装置名設定の動作を示すフローチャートを基に説明する。
リモコン装置のキー操作によりメニュ画面の装置名の設定が選択されると、ステップＳ１１からステップＳ１２に進み、ステップＳ１２で、複合記録装置の複数の記録装置のいずれかが選択されたか否かが判断され、複合記録装置の複数の記録装置のいずれかが選択された場合、ステップＳ１３に進み、複合記録装置の記録装置が選択されていない場合、ステップＳ２２に進んで処理を終了する。
ステップＳ１３で、文字入力を英数字、ひらがな、カタカナに切り替える表示モードの切り替えが指示されたか否かが判断され、表示モードの切り替えが指示された場合、ステップＳ１４に進み、表示モードの切り替えが指示されていない場合、ステップＳ１５に進む。
ステップＳ１４で、表示モードが切り替えられて、ステップＳ１５に進む。
ステップＳ１５で、１文字入力されたか否かが判断され、１文字入力された場合、ステップＳ１６に進み、１文字入力されていない場合、ステップＳ１７に進む。
ステップＳ１６で、入力された１文字が装置名に加えられて、ステップＳ１７に進む。
ステップＳ１７で、１文字削除が指示されたか否かが判断され、１文字削除が指示された場合、ステップＳ１８に進み、１文字削除が指示されていない場合、ステップＳ１９に進む。
ステップＳ１８で、装置名の１文字が削除されて、ステップＳ１９に進む。
ステップＳ１９で、装置名の入力が終了したか否かが判断され、装置名の入力が終了した場合、ステップＳ２０に進み、装置名の入力が終了していない場合、ステップＳ１３に戻って、ステップＳ１３からのステップを繰り返す。
ステップＳ２０で、入力された装置名が登録されて、ステップＳ２１に進む。
ステップＳ２１で、装置名の設定が終了したか否かが判断され、装置名の設定が終了した場合、ステップＳ２２に進んで処理を終了し、装置名の設定が終了していない場合、ステップＳ１２に戻って、ステップＳ１２からのステップを繰り返す。
また、図５の本発明の一実施例の複合記録装置の履歴記録の動作を示すフローチャートを基に説明する。
複合記録装置の複数の記録装置のいずれかの映像データの記録が実行されると、ステップＳ３１からステップＳ３２に進み、ステップＳ３２で、複合記録装置の履歴の記録が設定されているか否かが判断され、複合記録装置の履歴の記録が設定されている場合、ステップＳ３３に進み、複合記録装置の履歴の記録が設定されていない場合、ステップＳ３５に進んで処理を終了する。
ステップＳ３３で、履歴の記録が選択された複合記録装置の記録装置であるか否かが判断され、履歴の記録が選択された複合記録装置の記録装置である場合、ステップＳ３４に進み、履歴の記録が選択された複合記録装置の記録装置でない場合、ステップＳ３５に進んで処理を終了する。
ステップＳ３４で、履歴の記録が選択された複合記録装置の記録装置の記録項目の履歴がハードディスクに記録されて、ステップＳ３５に進んで処理を終了する。
また、図６の本発明の一実施例の複合記録装置の履歴通知の動作を示すフローチャートを基に説明する。
リモコン装置のキー操作により複合記録装置の履歴の通知が要求されると、ステップＳ４１からステップＳ４２に進み、印字による履歴の通知が設定されているか否かが判断され、印字による履歴の通知が設定されている場合、ステップＳ４３に進み、印字による履歴の通知が設定されていない場合、ステップＳ４４に進む。
ステップＳ４３で、ハードディスクに記録された複合記録装置の記録装置の選択された記録項目の履歴が抽出され、抽出された履歴が装置名とともに複合記録装置の記録装置毎に印字され、ステップＳ４４に進む。
ステップＳ４４で、複合記録装置の履歴のファイル保存が設定されているか否かが判断され、複合記録装置の履歴のファイル保存が設定されている場合、ステップＳ４５に進み、複合記録装置の履歴のファイル保存が設定されていない場合、ステップＳ４８に進んで処理を終了する。
ステップＳ４５で、複合記録装置の履歴が記録されたファイルが更新されて、複合記録装置の履歴のファイルの更新がモニタ装置の画面に表示されて通知され、ステップＳ４６に進む。
ステップＳ４６で、複合記録装置の履歴のファイル転送が設定されているか否かが判断され、複合記録装置の履歴のファイル転送が設定されている場合、ステップＳ４７に進み、複合記録装置の履歴のファイル転送が設定されていない場合、ステップＳ４８に進んで処理を終了する。
ステップＳ４７で、設定された装置名が付加されて、複合記録装置の履歴のファイルが転送され、ファイル転送情報がハードディスクに記録されて、ステップＳ４８に進んで処理を終了する。
【図面の簡単な説明】
【０００７】
【図１】本発明の一実施例の複合記録装置の構成を示すブロック図である。
【図２】本発明の一実施例の複合記録装置の履歴の印字例を示す図である。
【図３】本発明の一実施例の複合記録装置の履歴記録設定の動作を示すフローチャートである。
【図４】本発明の一実施例の複合記録装置の装置名設定の動作を示すフローチャートである。
【図５】本発明の一実施例の複合記録装置の履歴記録の動作を示すフローチャートである。
【図６】本発明の一実施例の複合記録装置の履歴通知の動作を示すフローチャートである。
【符号の説明】
【０００８】
１  複合記録装置
２、３  ＶＣＲ部
４、５  ＤＶＤ部
６  ＨＤＤ部
７  ストレージ制御部
８  信号処理回路
９  ＯＳＤ回路
１０  マイコン
１１  インタフェース回路
１２  メモリ
１３  リモコン受信部
２０  リモコン装置
３０  モニタ装置
Ｔ１  外部端子
【図１】
2006031762.tif 000003
【図２】
2006031762.tif 000004
【図３】
2006031762.tif 000005
【図４】
2006031762.tif 000006
【図５】
2006031762.tif 000007
【図６】
2006031762.tif 000008